(57)【要約】【課題】軸に組み付けられたころ軸受の軸方向の不測の位置ずれを防止することができるころ軸受及びころ軸受のずれ止め構造を提供する。【解決手段】軸１の外周面に沿って転動可能な複数の針状ころ１０を外輪１１又はハウジングの内周面に保持器２０によって保持したころ軸受において、軸１の外周面の所定位置には溝部２が形成される。保持器２０の内径側には、先端部が溝部２に係合可能に突入されて軸方向のずれ止めをなす突部２５が形成されている。【選択図】図２
2008115979.tif 000002
【特許請求の範囲】
【請求項１】
軸の外周面に沿って転動可能な複数のころを外輪の内周面又はハウジングの内周面に保持器によって保持したころ軸受であって、
前記保持器の内径側には、先端が前記複数のころの内接円の直径寸法よりも小さく中心側に向けて突出して軸方向のずれ止めをなす突部が形成されていることを特徴とするころ軸受。
【請求項２】
軸の外周面に沿って転動可能な複数のころを外輪の内周面又はハウジングの内周面に保持器によって保持したころ軸受のずれ止め構造であって、
前記軸の外周面の所定位置には溝部が形成され、
前記保持器の内径側には、先端部が前記溝部に係合可能に突入されて軸方向のずれ止めをなす突部が形成されていることを特徴とするころ軸受のずれ止め構造。
【請求項３】
請求項２に記載のころ軸受のずれ止め構造であって、
保持器の突部の先端突入部と、軸の溝部との間には隙間が設けられていることを特徴とするころ軸受のずれ止め構造。
【請求項４】
請求項２又は３に記載のころ軸受のずれ止め構造であって、
保持器は、軸方向両端部で同一中心線上に配置された両環状部と、これら両環状部の間で周方向に所定間隔を保って掛け渡された複数の柱部と、これら柱部の間に設けられてころを保持するポケットとを備え、
前記両環状部のうち、少なくとも一方の環状部の内径側に単数又は複数の突部が形成されていることを特徴とするころ軸受のずれ止め構造。
【発明の詳細な説明】
【技術分野】
【０００１】
この発明は、例えば、シェル形針状ころ軸受とも呼ばれているころ軸受及びころ軸受のずれ止め構造に関する。
【背景技術】
【０００２】
従来、例えば、シェル形針状ころ軸受とも呼ばれているころ軸受においては、軸の外周面に沿って転動可能な複数のころ（針状ころ）を外輪の内周面に保持器によって保持するようになっている。
また、この種のころ軸受においては、例えば、特許文献１に開示されたものが知られている。
【特許文献１】特開２００２−８９４８６号公報
【発明の開示】
【発明が解決しようとする課題】
【０００３】
ところで、ころ軸受を軸の所定の組付位置まで挿入した後、例えば、ハウジング（分割ハウジング）の組付部に嵌込んで組み付ける際、ころ軸受が軸方向に不測に位置ずれする場合がある。この場合には、軸の所定の組付位置までころ軸受を移動調整してハウジングの組付部に嵌込んで組み付けなければならず、厄介であった。
【０００４】
この発明の目的は、前記問題点に鑑み、軸に組み付けられたころ軸受の軸方向の不測の位置ずれを防止することができるころ軸受及びころ軸受のずれ止め構造を提供することである。
【課題を解決するための手段】
【０００５】
前記目的を達成するために、この発明の請求項１に係るころ軸受は、軸の外周面に沿って転動可能な複数のころを外輪の内周面又はハウジングの内周面に保持器によって保持したころ軸受であって、
前記保持器の内径側には、先端が前記複数のころの内接円の直径寸法よりも小さく中心側に向けて突出して軸方向のずれ止めをなす突部が形成されていることを特徴とする。
【０００６】
前記構成によると、ころ軸受を軸の所定の組付位置まで挿入すると、保持器の突部の先端部が軸の外周面に（例えば、軸の外周面の溝部に突入されて）係合する。その後、例えば、ハウジング（分割ハウジング）の組付部に嵌込んで組み付ける際、ころ軸受に軸方向の外力が作用して、軸方向に位置ずれしようとすると、保持器の突部の先端部と軸の溝部との係合力によって、軸の所定の組付位置にころ軸受を保持することができる。このようにして、ころ軸受の軸方向の不測の位置ずれを防止することができ、例えば、ハウジングの組付部に容易に嵌込んで組み付けることが可能となる。
【０００７】
また、この発明の請求項２に係るころ軸受のずれ止め構造は、軸の外周面に沿って転動可能な複数のころを外輪の内周面又はハウジングの内周面に保持器によって保持したころ軸受のずれ止め構造であって、
前記軸の外周面の所定位置には溝部が形成され、
前記保持器の内径側には、先端部が前記溝部に係合可能に突入されて軸方向のずれ止めをなす突部が形成されていることを特徴とする。
【０００８】
前記構成によると、ころ軸受を軸の所定の組付位置まで挿入すると、保持器の突部の先端部が軸の溝部に係合可能に突入される。その後、例えば、ハウジング（分割ハウジング）の組付部に嵌込んで組み付ける際、ころ軸受に軸方向の外力が作用して、軸方向に位置ずれしようとすると、保持器の突部の先端部と軸の溝部とが係合し、この係合力によって、軸の所定の組付位置にころ軸受を保持することができる。このようにして、ころ軸受の軸方向の不測の位置ずれを防止することができ、例えば、ハウジングの組付部に容易に嵌込んで組み付けることが可能となる。
【０００９】
請求項３に係るころ軸受のずれ止め構造は、請求項２に記載のころ軸受のずれ止め構造であって、
保持器の突部の先端突入部と、軸の溝部との間には隙間が設けられていることを特徴とする。
【００１０】
前記構成によると、保持器の突部の先端突入部と、軸の溝部との間に設けられた隙間によって、軸と保持器との相対的な回転時における突部の先端突入部の摩耗や、摩擦による異音発生を抑制することができる。
【００１１】
請求項４に係るころ軸受のずれ止め構造は、請求項２又は３に記載のころ軸受のずれ止め構造であって、
保持器は、軸方向両端部で同一中心線上に配置された両環状部と、これら両環状部の間で周方向に所定間隔を保って掛け渡された複数の柱部と、これら柱部の間に設けられてころを保持するポケットとを備え、
前記両環状部のうち、少なくとも一方の環状部の内径側に単数又は複数の突部が形成されていることを特徴とする。
【００１２】
前記構成によると、保持器の環状部の内径側に突部を形成することによって、ころとの干渉を回避することができ、突部を所望とする形状、個数に良好に配置することができる。例えば、保持器の環状部の内径面に沿って突部を連続的な環状又は断続的な環状に形成したり、あるいは、周方向に短い複数の突部を周方向に所望とする角度を隔てて形成することもできる。
【発明を実施するための最良の形態】
【００１３】
次に、この発明を実施するための最良の形態を実施例にしたがって説明する。
【実施例】
【００１４】
（実施例１）
この発明の実施例１を図面にしたがって説明する。
図１はこの発明の実施例１に係るころ軸受を示す縦断面図である。図２はころ軸受のずれ止め構造を拡大して示す縦断面図である。図３は図１のＩＩＩ−ＩＩＩ線に基づく横断面図である。図４は保持器を示す斜視図である。
図１と図２に示すように、ころ軸受（シェル形針状ころ軸受）が嵌挿されて組み付けられる軸１の所定の組付位置には、外周面に沿って環状をなしかつ軸方向に所定の間隔を隔てる二つの溝部３が所定の溝幅及び溝深さをもって凹設されている。
【００１５】
図１〜図３に示すように、ころ軸受は、軸１の外周面に沿って転動可能な複数のころ（針状ころも含む）１０を外輪１１の内周面に保持器２０によって保持することによって構成されている。
外輪１１は、円筒状をなし、その筒部両端には内径側に向けて折り返し状をなす端部折返片１３が形成されている。そして、外輪１１の内周面をころ１０の軌道面１２とし、両端部折返片１３の相対する先端面をころ１０の両端面に対応するころ案内面としている。また、外輪１１は、鋼板を材料とするプレス加工によって形成されている。
【００１６】
図１〜図４に示すように、保持器２０は、軸方向両端部で同一中心線上に配置された両環状部２１と、これら両環状部２１の間で周方向に所定間隔を保って掛け渡された複数の柱部２３と、これら柱部２３の間に設けられてころ１０を保持するポケット２４とを備えている。
また、保持器２０は、各柱部２３の厚み方向の各中心を結ぶ円の内径寸法が外輪１１に複数のころ１０を組み込んでこれらころ１０を外輪１１の軌道面１２に接触させた状態で各ころ１０のそれぞれの中心を結ぶ円の直径寸法よりも小さく設定されている。さらに、保持器２０のポケット２４の開口幅（円周方向の長さ）寸法は、ころ１０の直径寸法よりも小さく設定されている。これによって、ポケット２４から径方向内向きへのころ１０の抜け出しを防止している。
【００１７】
前記した保持器２０の両環状部２１の端部内径面には、先端が複数のころ１０の内接円の直径寸法よりも小さく中心側に向けて突出して軸方向のずれ止めをなす突部２５が形成されている。この実施例１において、突部２５は、軸１の両溝部２にそれぞれ係合可能でかつ弾性変形可能に形成されると共に、軸１の両溝部２に突入されて軸方向のずれ止めをなす。
また、図４に示すように、突部２５は、各環状部２１の内径面に沿って環状をなすと共に、弾性変形し易いように複数箇所に切欠部２５ａが形成されている。言い換えると、突部２５は、各環状部２１の内径面に沿って断続的な環状をなしている。
【００１８】
また、図２に示すように、突部２５の先端突入部２６は、軸１に対する挿入方向の前後両側部のうち、少なくとも前側面は軸１に対する組付性を考慮して傾斜面２７に形成されている。
この実施例１において、ころ軸受を構成する複数のころ１０、外輪１１及び保持器２０は、軸方向の中心線に対し対称状にそれぞれ形成されており、突部２５の先端突入部２６の前後両側面に傾斜面２７がそれぞれ形成されている。
【００１９】
また、この実施例１において、図２に示すように、軸１の所定の組付位置にころ軸受が組み付けられた状態にあるときに、突部２５の先端突入部２６と、軸１の溝部２との間には適宜の隙間（僅かな隙間）Ｓが設けられている。
また、保持器２０は、耐摩耗性及び耐熱性を有する合成樹脂材の射出成形によって一体に形成され、保持器２０の成形と同時に突部２６が一体に形成されることがコストの面において有効である。
【００２０】
この実施例１に係るころ軸受は上述したように構成される。
したがって、複数のころ１０を外輪１１の内周面に保持器２０によって保持されたころ軸受を軸１の端部から所定の組付位置に向けて挿入されると、保持器２０の両突部２５の先端突入部２６の傾斜面２７が軸１の外周面に接した状態で両突部２５がそれぞれ弾性変形されながら組付位置に向けて滑走される。
挿入方向前側の突部２５が軸１の後側の溝部２に達しところで、突部２５と溝部２との係合力に抗してころ軸受が軸１の所定の組付位置まで挿入される。
そして、両突部２５が軸１の両溝部２に達すると、両突部２５がそれぞれ元の姿勢に弾性復帰され、これによって、軸１の両溝部２に両突部２５が係合可能に突入される。
【００２１】
その後、例えば、ハウジング（分割ハウジング）の組付部に外輪１１を嵌込んで組み付ける際、ころ軸受に軸方向の外力が作用して、軸方向に位置ずれしようとすると、保持器２０の両突部２５の先端突入部２６と軸１の両溝部２とがそれぞれ係合し、その係合力によって、軸１の所定の組付位置にころ軸受が保持される。
前記したようにして、ころ軸受を軸１の所定の組付位置に保持してころ軸受の軸方向の不測の位置ずれを防止することができ、ハウジングの組付部にころ軸受の外輪１１を嵌込んで容易に組み付けることが可能となる。
【００２２】
また、この実施例１において、保持器２０の両突部２５の先端突入部２６と、軸１の両溝部２との間にそれぞれ設けられた隙間Ｓによって、軸１と保持器２０との相対的な回転時における両突部２５の先端突入部２６の摩耗や、摩擦による異音発生を抑制することができる。
また、保持器２０の両環状部２１の内径側に両突部２５を形成することによって、ころ１０との干渉を回避することができ、両突部２５を所望とする形状、個数に良好に配置することができる。
例えば、図４に示すように、保持器２０の環状部２１の内径面に沿って突部２５が断続的な環状に形成される他、切欠部２５ａがない連続的な環状に形成することもできる。また、周方向に短い複数の突部２５を周方向に所望とする角度（例えば、３０度、４５度、６０度、９０度、１２０度、１８０度等の角度）を隔てて形成することもできる。
【００２３】
（実施例２）
次に、この発明の実施例２に係るころ軸受を図５にしたがって説明する。
図５はこの発明の実施例２に係るころ軸受のずれ止め構造を拡大して示す縦断面図である。
図５に示すように、この実施例２においては、保持器２０の両環状部２１のうち、片側の環状部２１の端部内径面に対してのみ突部２５が形成されている。
その他の構成は実施例１と同様に構成されるため、同一構成部分に対し同一符号を付記してその説明は省略する。
したがって、この実施例２に係るころ軸受においても、保持器２０の突部２５の先端突入部２６と軸１の溝部２との係合力によって、軸１の所定の組付位置にころ軸受を保持することができる。
【００２４】
（実施例３）
次に、この発明の実施例３に係るころ軸受を図６にしたがって説明する。
図６はこの発明の実施例３に係るころ軸受のずれ止め構造を拡大して示す縦断面図である。
図６に示すように、この実施例３においては、外輪１１の筒部両端のうち、一方の端部に内径側に向けて折り返し状をなす端部折返片１３が形成され、他方の端部に内径側に直角状に曲げられた鍔部１５が形成されている。鍔部１５の先端の内径寸法は保持器２０の外径寸法よりも小さく設定されており、保持器２０の鍔部１５側の移動を規制している。
また、端部折返片１３の先端面ところ１０の一端面との間の隙間よりも、鍔部１５の内面ところ１０の他端面との間の隙間が大きく設定されている。
そして、鍔部１５側に位置する保持器２０の環状部２１の内径面に突部２５が設けられている。
その他の構成は実施例１と同様に構成されるため、同一構成部分に対し同一符号を付記してその説明は省略する。
したがって、この実施例３に係るころ軸受においても、保持器２０の突部２５の先端突入部２６と軸１の溝部２との係合力によって、軸１の所定の組付位置にころ軸受を保持することができる。
【００２５】
（実施例４）
次に、この発明の実施例４に係るころ軸受を図７にしたがって説明する。
図７はこの発明の実施例４に係るころ軸受のずれ止め構造を拡大して示す縦断面図である。
図７に示すように、外輪１１の筒部両端に、内径側に直角状に曲げられた鍔部１５がそれぞれ形成されている。これら両鍔部１５の先端の内径寸法は保持器２０の外径寸法よりも小さく設定されており、保持器２０の両鍔部１５側の移動を規制している。
また、保持器２０の両環状部２１の内径面に両突部２５がそれぞれ設けられている。
その他の構成は実施例１と同様に構成されるため、同一構成部分に対し同一符号を付記してその説明は省略する。
したがって、この実施例４に係るころ軸受においても、保持器２０の両突部２５の先端突入部２６と軸１の両溝部２との係合力によって、軸１の所定の組付位置にころ軸受を保持することができる。
【００２６】
（実施例５）
次に、この発明の実施例５に係るに係るころ軸受を図８にしたがって説明する。
図８はこの発明の実施例５に係るころ軸受のずれ止め構造を拡大して示す縦断面図である。
図８に示すように、外輪１１の筒部両端に、内径側に直角状に曲げられた鍔部１５がそれぞれ形成されている。これら両鍔部１５の先端の内径寸法は保持器２０の外径寸法よりも小さく設定されており、保持器２０の両鍔部１５側の移動を規制している。
また、保持器２０の両環状部２１のうち、一方の環状部２１の内径面に突部２５が設けられている。
その他の構成は実施例１と同様に構成されるため、同一構成部分に対し同一符号を付記してその説明は省略する。
したがって、この実施例５に係るころ軸受においても、保持器２０の突部２５の先端突入部２６と軸１の溝部２との係合力によって、軸１の所定の組付位置にころ軸受を保持することができる。
【００２７】
なお、この発明は前記実施例１〜５に限定するものではない。
例えば、前記実施例１〜５においては、ころ軸受が外輪１１、複数個のころ１０及び保持器２０を備えて構成される場合を例示したが、外輪１１がなく、複数個のころ１０を保持器２０によって保持するころ軸受であってもこの発明を実施することができる。この場合、軸の外周面に沿って転動可能な複数のころをハウジングの内周面に保持器によって保持する構造となる。
また、前記実施例１〜５においては、保持器２０が耐摩耗性及び耐熱性を有する合成樹脂材の射出成形によって一体に形成される場合を例示したが、鋼板を材料とするプレス加工によって保持器を形成することも可能である。
また、前記実施例１〜５においては、保持器２０の両環状部２１のうち、少なくとも一方の環状部２１に突部２５が形成される場合を例示したが、保持器２０の柱部２３に突部２５を形成してもこの発明を実施することが可能である。
【図面の簡単な説明】
【００２８】
【図１】この発明の実施例１に係るころ軸受を示す縦断面図である。
【図２】同じくころ軸受のずれ止め構造を拡大して示す縦断面図である。
【図３】同じく図１のＩＩＩ−ＩＩＩ線に基づく横断面図である。
【図４】同じく保持器を示す斜視図である。
【図５】この発明の実施例２に係るころ軸受のずれ止め構造を拡大して示す縦断面図である。
【図６】この発明の実施例３に係るころ軸受のずれ止め構造を拡大して示す縦断面図である。
【図７】この発明の実施例４に係るころ軸受のずれ止め構造を拡大して示す縦断面図である。
【図８】この発明の実施例５に係るころ軸受のずれ止め構造を拡大して示す縦断面図である。
【符号の説明】
【００２９】
１  軸
２  溝部
１０  ころ
１１  外輪
２０  保持器
２１  環状部
２４  ポケット
２５  突部
２６  先端突入部
【図１】
2008115979.tif 000003
【図２】
2008115979.tif 000004
【図３】
2008115979.tif 000005
【図４】
2008115979.tif 000006
【図５】
2008115979.tif 000007
【図６】
2008115979.tif 000008
【図７】
2008115979.tif 000009
【図８】
2008115979.tif 000010